(57)【要約】【課題】  血圧測定時に、被検者が容易に正しい姿勢を保つことができ、かつ適切な位置に前腕を載置することが可能な電子血圧計を提供する。【解決手段】  血圧測定を行う電子血圧計１００であって、被検者の上腕が挿入される中空開口部１１２を有し、内周面上にカフ１１１が配された第１の筐体１１０と、中空開口部１１２の仰角が変更できるように、第１の筐体１１０を回動自在に支持する第２の筐体１２０と、中空開口部１１２に上腕が挿入された状態で前記被検者の前腕が載置され、少なくとも、電子血圧計１００の載置面に対して略平行な位置まで回動するように、第１の筐体１１０に回動自在に支持された前腕載置部１３０と、を備え、第２の筐体１２０は、電子血圧計１００の載置面に対して、前記上腕の挿入方向に略平行に摺動するように、摺動部材１２３が配されていることを特徴とする。【選択図】図１
2010220888.tif 000002
【特許請求の範囲】
【請求項１】
血圧測定を行う電子血圧計であって、
被検者の上腕が挿入される中空開口部を有し、内周面上にカフが配された第１の筐体と、
前記中空開口部の仰角が変更できるように、前記第１の筐体を回動自在に支持する第２の筐体と、
前記中空開口部に上腕が挿入された状態で前記被検者の前腕が載置され、少なくとも、前記電子血圧計の載置面に対して略平行な位置まで回動するように、前記第１の筐体に回動自在に支持された前腕載置部と、を備え、
前記第２の筐体は、前記電子血圧計の載置面に対して、前記上腕の挿入方向に略平行に摺動するように、摺動部材が配されていることを特徴とする電子血圧計。
【請求項２】
前記第１の筐体が前記中空開口部の仰角が略ゼロ度の位置において、前記第２の筐体に固定されるよう、前記第１及び第２の筐体には、磁性部材が配されていることを特徴とする請求項１に記載の電子血圧計。
【請求項３】
前記前腕載置部が、前記中空開口部の前記上腕の挿入方向先端側を覆う位置において、前記第１の筐体に固定されるよう、前記第１の筐体及び前記前腕載置部には、磁性部材が配されていることを特徴とする請求項２に記載の電子血圧計。
【請求項４】
前記第２の筐体は、前記中空開口部の前記上腕の挿入方向先端側が、前記第２の筐体の前記上腕の挿入方向先端側に位置するように、前記第１の筐体を支持することを特徴とする請求項１に記載の電子血圧計。
【発明の詳細な説明】
【技術分野】
【０００１】
本発明は、電子血圧計に関するものであり、特に、被検者の上腕を挿入する中空開口部の内周面上にカフが配された腕挿入部を有する電子血圧計に関するものである。
【背景技術】
【０００２】
従来より、上腕カフ法を用いた電子血圧計が知られており、広く一般に普及している。上腕カフ法による血圧測定は非常に簡便な方法である一方で、測定精度に影響を与える要因が数多く内在している。このため、測定精度の向上を図るべく、これまで種々の提案がなされてきた。
【０００３】
測定精度に影響を与える要因の一例として、例えば、血圧測定の際に、被検者が前かがみの姿勢になると腹圧が上昇し、腹部動脈が圧迫されることで、血圧が上昇してしまうという問題が挙げられる。
【０００４】
これに対して、例えば、下記特許文献１では、被検者の体格（座高や腕の長さ）や電子血圧計が載置された机の高さ等に関わらず、被検者が正しい姿勢（背筋が伸びた姿勢）で血圧測定ができるように、被検者の上腕を挿入する腕挿入部を回動自在に構成した電子血圧計が提案されている。
【先行技術文献】
【特許文献】
【０００５】
【特許文献１】特開２００６−１５０１４３号公報
【発明の概要】
【発明が解決しようとする課題】
【０００６】
しかしながら、上記特許文献１の場合、電子血圧計が被検者から適切な距離に載置されていることを前提としている。このため、電子血圧計が被検者から離れた位置に載置された場合にあっては、正しい姿勢で血圧測定することができない。また、その場合に、被検者が電子血圧計を適切な位置に移動させようとしても、容易に移動させることが可能な構成となっておらず、被検者にとっては利便性が悪い。
【０００７】
更に、上記特許文献１の場合、たとえ被検者が電子血圧計を適切な位置に移動させることができたとしても、前腕載置部が机に対して所定の角度を有して固定されているため、挿入された被検者の腕が全体として“くの字”に曲がることとなり、血圧測定の際には、前腕が心臓の高さ位置近傍にくることとなる。前腕がこのように載置された場合、うっ血を起こしやすく、カフ末梢部への血流の発生タイミングが不明確となる可能性があり、収縮期血圧の検出に誤差が含まれることとなる。
【０００８】
つまり、上記特許文献１の場合、正しい姿勢で血圧測定するために被検者が行う一連の作業における作業負荷が高いうえに、測定精度に影響を与える新たな要因が内在してしまっている。
【０００９】
以下、上記問題についての詳細を図７を用いて説明する。図７は、上記特許文献１に記載の電子血圧計を用いて血圧測定する場合の被検者の動作を示す図であり、電子血圧計が被検者からやや離れて載置されていた場合に、被検者が正しい姿勢で血圧測定するための被検者の動作の一例を示す図である。
【００１０】
図７（Ａ）に示すように、正しい姿勢で座っている被検者７０１は、図７（Ｂ）に示すように、血圧測定に際して左手（血圧測定しない方の手）で腕挿入部７１１を矢印７２１方向に回動させ、右腕を腕挿入部７１１に挿入する。
【００１１】
このとき、被検者７０１は、図７（Ｃ−１）に示すように前かがみの姿勢となり、腹圧が上昇する。つまり、上記特許文献１のように、腕挿入部を回動自在に構成したとしても、電子血圧計が被検者から適切な距離に載置されていなければ、被検者は正しい姿勢で血圧測定を行うことができない。
【００１２】
このとき、図７（Ｃ−２）に示すように、電子血圧計７１０を被検者７０１側に移動させることで、被検者７０１は正しい姿勢に戻ることができるが、そのためには、被検者７０１は、腕挿入部７１１に右腕の上腕を挿入した状態で、回動自在な（つまり不安定な）腕挿入部７１１を左手で上方に引っ張りながら手前（矢印７２２方向）に引く必要があり、被検者７０１にとっては作業負荷が高い。
【００１３】
更に、図７（Ｃ−２）に示すように、電子血圧計７１０を適切な位置に移動させ、正しい姿勢に戻ることができたとしても、電子血圧計７１０の前腕載置部７１２は、机に対して、所定の角度θをもって配されているため、被検者７０１の腕は全体として“くの字”に曲がった状態となり、血圧測定時に手先が心臓の高さ位置近傍までくることとなる。
【００１４】
このような状態では、腹圧の影響は排除できるものの、うっ血が起こりやすく、うっ血が起きた場合、カフ末梢部への血流の発生タイミングが不明確となり、収縮期血圧が実際よりも低く測定される場合がある。
【００１５】
このように、従来の電子血圧計７１０を用いた場合、電子血圧計の載置位置によっては血圧測定時に正しい姿勢を保つことが困難であるうえ、適切な位置に前腕を載置することができないという問題がある。
【００１６】
本発明は、上記課題に鑑みてなされたものであり、血圧測定時に、被検者が容易に正しい姿勢を保つことができ、かつ適切な位置に前腕を載置することが可能な電子血圧計を提供することを目的とする。
【課題を解決するための手段】
【００１７】
上記の目的を達成するために、本発明に係る電子血圧計は以下のような構成を備える。即ち、
血圧測定を行う電子血圧計であって、
被検者の上腕が挿入される中空開口部を有し、内周面上にカフが配された第１の筐体と、
前記中空開口部の仰角が変更できるように、前記第１の筐体を回動自在に支持する第２の筐体と、
前記中空開口部に上腕が挿入された状態で前記被検者の前腕が載置され、少なくとも、前記電子血圧計の載置面に対して略平行な位置まで回動するように、前記第１の筐体に回動自在に支持された前腕載置部と、を備え、
前記第２の筐体は、前記電子血圧計の載置面に対して、前記上腕の挿入方向に略平行に摺動するように、摺動部材が配されていることを特徴とする。
【発明の効果】
【００１８】
本発明によれば、血圧測定時に、被検者が容易に正しい姿勢を保つことができ、かつ適切な位置に前腕を載置することが可能な電子血圧計を提供することができるようになる。
【図面の簡単な説明】
【００１９】
【図１】本発明の第１の実施形態に係る電子血圧計１００の外観構成を示す図である。
【図２】電子血圧計１００の側面図である。
【図３】電子血圧計１００のシステム構成を示す図である。
【図４】電子血圧計１００の血圧測定処理の流れを示すフローチャートである。
【図５】電子血圧計１００の検出処理の流れを示すフローチャートである。
【図６】電子血圧計１００を用いて血圧測定する場合の、被検者の動作の一例を示す図である。
【図７】従来の電子血圧計を用いて血圧測定する場合の、被検者の動作の一例を示す図である。
【発明を実施するための形態】
【００２０】
以下、本発明の各実施形態について図面を参照しながら説明する。
【００２１】
１．電子血圧計の構成
図１は、本発明の第１の実施形態に係る電子血圧計１００の外観構成を示す図である。
【００２２】
図１に示すように、電子血圧計１００は、被検者の上腕を挿入する腕挿入部１１０（第１の筐体）と、腕挿入部１１０を支持する本体部１２０（第２の筐体）と、腕挿入部１１０に上腕が挿入された状態で被検者の前腕が載置される前腕載置部１３０とを備える。
【００２３】
腕挿入部１１０において、１１２は被検者の上腕が挿入される中空開口部である。１１１はカフであり、中空開口部１１２の内周面上に配置されている。カフ１１１は、中空開口部１１２に挿入された被検者の上腕の血管を圧迫する。
【００２４】
１１３は表示部であり、血圧測定の結果等を表示する。１１４は操作部であり、電子血圧計１００の操作を行うための各種スイッチ１１４Ａ〜１１４Ｃを備える。１１４Ａは、血圧測定の開始を指示するための開始スイッチであり、１１４Ｂは、血圧測定の停止を指示するための停止スイッチである。また、１１４Ｃは、血圧測定の結果を不図示の記憶部に記憶することを禁止する記憶禁止スイッチである。
【００２５】
また、本体部１２０において、１２１は回動支持部であり、腕挿入部１１０を回動自在に支持（軸支）する。これにより、腕挿入部１１０の中空開口部１１２の仰角を変更することができ、被検者は、上腕の挿入角度を自由に調整することができる。
【００２６】
１２２は腕挿入部支持部であり、電子血圧計１００の不使用時に、腕挿入部１１０が、電子血圧計１００の載置面に対して略平行（中空開口部１１２の仰角が略ゼロ度）となるように腕挿入部１１０を支持する。
【００２７】
なお、腕挿入部支持部１２２は、腕挿入部１１０との接触面が磁性部材により構成されており、腕挿入部１１０側の接触面に配された磁性部材１１５との間で、互いに結合する。このため、電子血圧計１００の不使用時には、腕挿入部１１０は本体部１２０に対して固定された状態となり、回動が規制されることとなる。
【００２８】
なお、電子血圧計１００を使用する際には、腕挿入部１１０に被検者の上腕が挿入され、腕挿入部１１０に上方向の力が加わることにより、腕挿入部支持部１２２との結合がはずれ、腕挿入部１１０は、回動支持部１２１周りに回動する。この結果、腕挿入部１１０は適切な角度に調整されることとなる。
【００２９】
１２３は案内リブ（摺動部材）であり、電子血圧計１００の載置面に対して、電子血圧計１００が矢印１４０方向（上腕の挿入方向に略平行な方向）に容易に摺動できるように、ほぼ並列に２個設けられ、その下面が摩擦係数の低い部材により構成されている。
【００３０】
なお、本体部１２０の内部には、カフ１１１に加圧エアを送る加圧エアポンプや、カフ１１１内の空気を排気し、カフ１１１の圧力を調整する排気弁、電子血圧計１００の各部に電源を供給する電源部等が内蔵されているものとする。
【００３１】
カフ１１１は、可撓性を有しており、２５０ｍｍＨｇ程度までの加圧に対して、膨張と収縮が可能な、塩化ビニル、合成ゴム、天然ゴムなどで形成される。また、このカフ１１１を覆い、上腕を挿入する中空開口部１１２に着脱自在なカフリング１１１ａを備えている。このカフリング１１１ａは、カフ１１１を保護すると同時に、上腕の中空開口部１１２への出し入れを容易にするため、両端部はＯ−リングで形成され、長さ方向Ｗ、円周方向Ｒのいずれにも伸縮自在なナイロン、スパンデックスなどのすべり性のあるストレッチ素材で形成している。
【００３２】
前腕載置部１３０は、腕挿入部１１０に回動自在に支持（軸支）されており、電子血圧計１００の不使用時に、腕挿入部１１０の挿入方向先端側の中空開口部（中空開口部１１２と反対側の中空開口部（不図示））を覆うよう構成されている。また、電子血圧計１００の使用時には、電子血圧計１００の載置面に対して略平行となる位置まで回動するよう構成されている。
【００３３】
２．電子血圧計の詳細構成
次に、電子血圧計１００の詳細構成について説明する。図２は、電子血圧計１００の側面図である。
【００３４】
図２に示すように、前腕載置部１３０は前腕載置部支持部２１２により、矢印２４０方向に回動するように支持（軸支）されている。前腕載置部１３０の先端部には磁性部材２３１が配されており、電子血圧計１００の不使用時に、前腕載置部１３０が、腕挿入部１１０の挿入方向先端側の中空開口部を覆うように回動することで、腕挿入部１１０に配された磁性部材２１１と結合する。
【００３５】
このため、電子血圧計１００の不使用時には、前腕載置部１３０は、腕挿入部１１０に対して固定される。一方、電子血圧計１００の使用時には、腕挿入部１１０に被検者の腕が挿入されることで、前腕載置部１３０が腕挿入部１１０からはずれ、電子血圧計１００の載置面に対して略平行となる位置まで、前腕載置部支持部２１２周りに回動する。なお、前腕載置部１３０の回動は、前腕載置部固定部２２１により規制される。
【００３６】
前腕載置部固定部２２１は、本体部１２０上に配され、電子血圧計１００の使用時に、前腕載置部１３０が、電子血圧計１００の載置面に対して略平行となるように支持する。
【００３７】
このように、電子血圧計１００は、不使用時には、腕挿入部１１０が本体部１２０に固定され、前腕載置部１３０が腕挿入部１１０に固定された状態となる。
【００３８】
そして、使用に際して、被検者が腕挿入部１１０に腕を挿入し、前腕載置部１３０が押圧されることで前腕載置部１３０は腕挿入部１１０との結合がはずれ、電子血圧計１００の載置面に略平行な位置まで回動することとなる。さらに、本体部１２０を手前に引き寄せて背筋を伸ばした姿勢にすることで、腕挿入部１１０には上方向の力が加わるため、腕挿入部１１０は本体部１２０との結合がはずれ、中空開口部１１２が適切な仰角となるまで回動することとなる。
【００３９】
つまり、本実施形態に係る電子血圧計１００の場合、片腕（血圧測定を行う側の腕）を挿入し、電子血圧計１００の本体部１２０を手前（紙面で左側）に引きつけ、背筋を伸ばした姿勢をとるだけで、回動支持部１２１に軸支された腕挿入部１１０は６０度を上限に回動して、適切な仰角となるように調整することができ、かつ前腕を適切な位置に載置することができ、腹圧のかからない正しい姿勢で血圧（収縮期血圧、拡張期血圧）を測定することができる。
【００４０】
ここで、本実施形態にかかる電子血圧計１００では、図２に示すように、本体部１２０の下面に案内リブ１２３が配されているとともに、回動支持部１２１が本体部１２０の中央位置（矢印１４０方向の中央位置）に配され、かつ、腕挿入部１１０の挿入方向先端側端部（腕挿入部１１０に上腕が挿入された状態で被検体の肘が載置される位置。点線矢印２５０で示された位置）が、本体部１２０の中央位置（矢印１４０方向の中央位置）よりも先端側に位置するように配されている。
【００４１】
このため、上腕が腕挿入部１１０に挿入された状態で、被検者の肘は、本体部１２０の中央位置よりも先端側（点線矢印２５０）に位置することとなり、本体部１２０を肘を手前側に引いた際に、電子血圧計１００を、容易に手前側（被検者側）に引き寄せることができる。
【００４２】
つまり、従来の電子血圧計のように、腕挿入部に右腕の上腕を挿入した状態で、回動自在な腕挿入部を左手で上方に引っ張りながら手前に引くといった負荷の高い作業を行う必要がなく、挿入した腕の肘のみを使って電子血圧計１００を簡単に手前側に引き寄せることができる。この結果、被検者は、血圧測定に際して、容易に正しい姿勢を保つことが可能となる。
【００４３】
また、従来の電子血圧計の場合、すぐに腕を挿入できず、背筋を伸ばした正しい姿勢がとれる位置に電子血圧計１００の本体部１２０を仮置きし、腕挿入部１１０をリリースし、上腕を挿入し、正しい姿勢がとれない場合、椅子の位置を直すなど調整し、血圧測定しなければならない。これに対して、本実施形態にかかる電子血圧計１００では上腕を挿入し、電子血圧計１００の本体部１２０を手前に引き寄せ、背筋を伸ばした姿勢をとるだけで、正しい姿勢をとるための煩わしい作業が必要なく、きわめて容易に血圧測定が行える。また、従来の電子血圧計のように、前腕載置部が、電子血圧計の載置面に対して所定の角度（θ）を有していないため、被検者の手先が心臓の高さ位置にくることもない。このため、被検者は、適切な位置に前腕を載置することが可能となる。
【００４４】
３．電子血圧計のシステム構成
次に、電子血圧計のシステム構成について図３を参照しながら説明する。図３は、本発明の第１の実施形態に係る電子血圧計１００のシステム構成を示す図である。
【００４５】
図３において、３０１は、ＡＣ或いは電池などのＤＣ電源を供給する電源部である。３０２は、複数回分の血圧測定の結果や測定時刻データなどを記憶する不揮発性メモリなどの記憶部である。
【００４６】
３０３は、血圧測定の開始／停止を行う開始スイッチ１１４Ａ／停止スイッチ１１４Ｂ等を含む、各種操作を行うための操作部である（図１の操作部１１４に対応する）。３０４は血圧測定の結果等を表示する表示部であり、図１の表示部１１３に対応する。３０５は電子血圧計１００全体の動作を制御する制御部である。
【００４７】
制御部３０５は、マイクロコンピュータなどのＣＰＵ、ＣＰＵにより実行される電子血圧計１００全体のプログラムや各種データを記憶するＲＯＭ、ワークエリアとして測定データや各種データを一時的に記憶するＲＡＭ、ならびに、表示部３０４の表示を制御する表示制御部等を備える。
【００４８】
３０６はカフ１１１に加圧エアを送る加圧エアポンプである。３０７は排気弁であり、カフ１１１の圧力を一定の速度で減圧する排気弁機能と、強制排気する排気弁機能とを兼ね備えている。
【００４９】
３０８はカフ１１１の圧力を検出する圧力検出部である。３１１は圧力検出部３０８において検出されたカフ圧力信号をＡ／Ｄ変換し、制御部３０５に入力するＡ／Ｄ変換部である。
【００５０】
３０９はマイク部であり、コロトコフ音信号を検知する。３１２はフィルタ／アンプ部であり、マイク部３０９において検知されたコロトコフ音信号に対して、ノイズ成分を除去するためのフィルタリング及び増幅処理を行う。３１３はＡ／Ｄ変換部であり、フィルタリング後の検知信号をＡ／Ｄ変換し、制御部３０５に入力する。
【００５１】
このような構成のもと、電子血圧計１００では、カフ１１１を最高血圧値以上に加圧した後、一定速度（例えば、２〜３ｍｍＨｇ／秒）で、大気圧近くまで減圧する。そして、この減圧過程でマイク部３０９において検知されたコロトコフ音を取得し、取得したコロトコフ音成分の振幅値（脈波振幅値）が規定値以上となったときのカフ圧力値を収縮期圧力値として抽出する。また、その後、コロトコフ音信号が規定値以下になった時のカフ圧力値を、拡張期血圧値として抽出する。
【００５２】
４．電子血圧計の血圧測定処理の流れ
次に、電子血圧計１００における血圧測定処理の流れについて説明する。ここでは、マイクロフォンを用いたコロトコフ音法による血圧測定処理について説明するが、本発明はコロトコフ音法による血圧測定処理に限定されるものではなく、例えば、オシロメトリック法による血圧測定処理を用いてもよい。
【００５３】
図４は、電子血圧計１００における血圧測定処理の流れを示すフローチャートである。開始スイッチ１１４Ａが押下されると、図４に示す血圧測定処理が開始される。
【００５４】
ステップＳ４０１では、初期設定を実行する。ステップＳ４０２では、表示部３０４の点検を行う（約１秒間、全セグメントを点灯させる）。
【００５５】
ステップＳ４０３では、カフ１１１に内圧が加わっていないことを確認し、この状態での圧力値をゼロに設定する。
【００５６】
ステップＳ４０４では、排気弁３０７を閉じ、加圧エアポンプ３０６を作動して加圧エアを送ることで、カフ１１１の加圧を開始するとともに、圧力検出部３０８が圧力の検出を開始する。
【００５７】
ステップＳ４０５では、加圧されたカフ１１１の内圧が適正な圧力値に到達したか否かを判定する。適正な圧力値まで加圧されたと判定された場合には、ステップＳ４０６に進み、加圧エアポンプ３０６を停止する。
【００５８】
ステップＳ４０７では、排気弁３０７の開口をコントロールして、２〜３ｍｍＨｇ／ｓｅｃの減圧スピードで定速減圧を開始する。
【００５９】
ステップＳ４０８では、所定圧力まで減圧されるまでの間、マイクロフォン音信号とカフ圧力信号の検出を繰り返す。ここで、ステップＳ４０８の検出処理の詳細を図５を用いて説明する。
【００６０】
図５に示すように、検出処理が開始されると、ステップＳ５０１では、カフ圧力表示用タイマｔ１をリセットする。ステップＳ５０２では、マイクロフォン音信号およびカフ圧力信号検出用のタイマ（信号検出用タイマ）ｔ２をリセットする。
【００６１】
ステップＳ５０３では、信号検出用タイマｔ２が４ｍｓｓｅｃになったか否かを判定する。ステップＳ５０３において、信号検出用タイマｔ２が４ｍｓｅｃになったと判定された場合には、ステップＳ５０４において、フィルタ／アンプ部３１２がコロトコフ音を弁別し、増幅する。更に、Ａ／Ｄ変換部３１３にてデジタル信号に変換する。
【００６２】
ステップＳ５０５では、カフ圧力信号を圧力検出部３０８にて検出し増幅した後、Ａ／Ｄ変換部３１１においてデジタル信号に変換する。
【００６３】
ステップＳ５０６では、コロトコフ音のデジタル信号と、カフ圧力のデジタル信号とをペアにして記憶部３０２に記憶する。ステップＳ５０７では、カフ圧力表示用タイマｔ１が１００ｍｓｅｃに至ったかを判定する。
【００６４】
ステップＳ５０７において、カフ圧力表示用タイマｔ１が１００ｍｓｅｃに至ったと判定された場合には、ステップＳ５０８に進み、記憶部３０２に記憶された最新のカフ圧力値を表示部３０４に表示する。さらに、ステップＳ５０９では、カフ圧力表示用タイマｔ１をリセットする。
【００６５】
一方、ステップＳ５０７において、カフ圧力表示用タイマｔ１が１００ｍｓｅｃに至っていないと判定された場合には、ステップＳ５１０に進む。ステップＳ５１０では、所定のカフ圧力値（例えば、３０ｍｍＨｇ）に至ったか否かを判定する。
【００６６】
ステップＳ５１０において、所定のカフ圧力値に至っていないと判定された場合には、ステップＳ５０２に戻る。一方、ステップＳ５１０において、所定のカフ圧力値に至ったと判定された場合には、検出処理を終了し、図４のステップＳ４０９に戻る。
【００６７】
ステップＳ４０９では、圧力検出動作、定速減圧制御を終了し、排気弁３０７を全開にして、カフ圧力を大気圧まで下げる。
【００６８】
ステップＳ４１０では、記憶部３０２に記憶されたマイクロフォン音信号を時系列に古いデータから観察する。このうち、周期的に観測される波形の振幅が規定値以上になった信号をコロトコフ音信号と認識し、はじめてコロトコフ音を認識したマイクロフォン音信号とペアで記憶されているカフ圧力信号を収縮期血圧値として抽出する。
【００６９】
更に、コロトコフ音がある規定時間（例えば、脈拍間隔の３倍の時間）検出されないと判断された場合には、コロトコフ音が消滅したと判断する。このとき、最後のコロトコフ音を認識したマイクロフォン音信号とペアになって記憶されているカフ圧力信号を拡張期血圧値として抽出する。
【００７０】
ステップＳ４１１では、抽出された収縮期血圧値及び拡張期血圧値を表示部３０４に表示し、血圧測定処理を終了する。
【００７１】
５．血圧測定時の被検者の動作
次に電子血圧計１００を用いて血圧測定する場合の被検者の動作について説明する。図６は、電子血圧計１００を用いて血圧測定する場合の被検者の動作の一例を示す図である。
【００７２】
図６（Ａ）に示すように、正しい姿勢で座っている被検者６０１は、図６（Ｂ）に示すように、血圧測定する方の腕（右腕）を腕挿入部１１０に挿入する。これにより、前腕載置部１３０が、電子血圧計１００の載置面に略平行となる位置まで回動するとともに、腕挿入部１１０が適切な位置まで回動する。
【００７３】
このとき、被検者６０１は、図６（Ｂ）に示すように前かがみの姿勢となっている。この場合、被検者は、腕挿入部１１０に挿入した方の腕と反対の腕を使って、電子血圧計１００を手前（被検者に近い側）に引き寄せ、血圧測定のために背筋を伸ばした正しい姿勢をとることができる。上述したように、電子血圧計１００の底面には案内リブ１２３が配されており、また、電子血圧計１００の本体部１２０の底面には案内リブ１２３が設けられているため、電子血圧計１００を簡単に手前側（矢印６１１方向）に引き寄せることができる。
【００７４】
この結果、図６（Ｃ）に示すように、手前に引き寄せるだけで、電子血圧計１００を簡単に適切な位置に移動させることができ、被検者６０１は血圧測定に際して正しい姿勢を保つことができる。更に、電子血圧計１００の前腕載置部１３０は、電子血圧計１００の載置面に略平行な位置まで回動しているため、被検者の手先は、心臓の高さよりも低い位置に載置されることとなり、適切な位置に前腕を載置した状態で血圧測定を行うことができる。
【００７５】
以上の説明から明らかなように、本実施形態に係る電子血圧計は、
・腕挿入部を本体部に対して回動自在に取り付けると共に、電子血圧計不使用時には、腕挿入部が、電子血圧計の載置面と略平行な位置において磁性材料により固定される構成とした。この結果、腕挿入部に腕を挿入し、電子血圧計を殆ど力を加えずに手前に引き寄せるだけで、腕挿入部の中空開口部の仰角を適切に調整することができるようになった。
・前腕載置部を腕挿入部に対して回動自在に取り付け、かつ、電子血圧計不使用時には、腕挿入部に対して磁性材料により固定され、電子血圧計使用時には、挿入された腕により押圧されることで電子血圧計の載置面と略平行な位置まで回動するように構成した。この結果、血圧測定時の被検者の手先を、被検者の心臓の高さよりも低い位置に載置させることが可能となった。
・回動支持部を本体部の中央位置に配し、腕挿入部の先端側端部が本体部の中央位置より先端側に位置するように構成するとともに、本体部の底面に、案内リブを配し、電子血圧計の載置面に対して摺動可能な構成とした。この結果、上腕が挿入された状態で、被検者が肘を使って、電子血圧計を手前側に容易に引き寄せることが可能となった。
【００７６】
この結果、血圧測定時に、被検者が容易に正しい姿勢を保つことができ、かつ適切な位置に前腕を載置することが可能となった。
【００７７】
［第２の実施形態］
上記第１の実施形態では、本体部の底面に案内リブを設ける構成としたが、本発明はこれに限定されず、例えば、本体部の底面に車輪を設けるように構成してよい。また、本体部の底面にＬＭガイドや、レールを設けるように構成してよい。いずれにしても、本体部が電子血圧計の載置面に対して摺動可能な構成であればどのような構成であってもかまわない。
【００７８】
また、上記第１の実施形態では、本体部の摺動範囲を特に限定しなかったが、本体部の摺動範囲を限定するためのリミットを設けるように構成してもよい。
【図１】
2010220888.tif 000003
【図２】
2010220888.tif 000004
【図３】
2010220888.tif 000005
【図４】
2010220888.tif 000006
【図５】
2010220888.tif 000007
【図６】
2010220888.tif 000008
【図７】
2010220888.tif 000009